(57)【要約】【課題】システム内の全ての親器、子器の火災警報の連動制御の機能を低下させずに、簡易な構成で音声出力対応型の住宅用火災警報システムを提供する。【解決手段】火災警報の音声信号を予め記憶した記憶手段１３と、信号線Ｌの電圧を監視して、所定の移報レベルであるか否かを判別する電圧監視手段１０，１８と、火災を検出したとき、または信号線Ｌの電圧が移報レベルであるときに、音声信号を読み出して再生出力し、更に信号線Ｌに出力する音声制御手段１０，１２，１３，１４，１５，１７とを備えている。【選択図】図１
2008134974.tif 000002
【特許請求の範囲】
【請求項１】
給電線を兼用する信号線を通じて、他の火災警報器と互いに移報し警報する警報連動機能を有した住宅用火災警報器において、
前記火災警報の音声信号を予め記憶した記憶手段と、
前記信号線の電圧を監視して、所定の移報レベルであるか否かを判別する電圧監視手段と、
火災を検出したときには火災警報の音声信号を読み出して出力するとともに、前記信号線の電圧を前記移報レベルに変化させて前記音声信号を重畳させて出力する一方、
前記信号線の電圧が前記移報レベルまで変化したときには、火災警報の音声信号を読み出して出力するとともに、前記移報レベルに変化している信号線に前記音声信号を重畳させて出力させる音声制御手段とを備えた住宅用火災警報親器。
【請求項２】
給電線を兼用する信号線を通じて、他の火災警報器と互いに移報し警報する警報連動機能を有した住宅用火災警報器において、
火災を検出したときに、前記信号線の電圧を所定の移報レベルまで変化させる電圧制御手段と、
前記信号線の電圧が移報レベルに変化され、該電圧に前記音声信号が重畳されたときには、その音声信号を読み出して、火災警報として出力させる音声制御手段とを備えた住宅用火災警報子器。
【請求項３】
請求項１に記載の住宅用火災警報親器と、請求項２に記載の住宅用火災警報子器とを、給電線を兼用する信号線を通じて接続して構成された住宅用火災警報システム。
【発明の詳細な説明】
【技術分野】
【０００１】
本発明は、給電線を兼用する信号線を通じて、他の火災警報器と互いに移報し警報連動する機能を有した住宅用火災警報器、及び、これを使用した住宅用火災警報システムの改良に関する。
【背景技術】
【０００２】
近時、住宅用火災警報器を一般住宅に設置することが推奨されている。この種の住宅用火災警報器は、商用電源で作動する商用電源作動型の住宅用火災警報親器と、この住宅用火災警報親器と、給電線を兼用する信号線を通じて接続され、信号線を通じて住宅用火災警報親器からの給電を受けて作動する住宅用火災警報子器とがあり、これらが組み合わさって住宅用火災警報システムを構成している。
【０００３】
この種の住宅用火災警報システムでは、住宅用火災警報親器、住宅用火災警報子器のそれぞれは、煙、熱などの火災要因を監視しており、火災要因を検出すると信号線の電圧レベルを移報レベルに変化させる。
住宅用火災警報親器、住宅用火災警報子器のそれぞれは、信号線の電圧レベルが移報レベルであることを検出して、記憶手段から音声信号を読み出して再生出力を行うようにしているが、いずれかの住宅用火災警報親器または子器が火災要因を検出すると、火災要因を検出した親器または子器は信号線の電圧レベルを移報レベルに変化させることで、システム内のすべての親器、子器より警報連動を行わせることができる。
【特許文献１】特開２００５−３３９０３２号公報
【発明の開示】
【発明が解決しようとする課題】
【０００４】
ところで、上記した従来の住宅用火災警報システムでは、住宅用火災警報親器、住宅用火災警報子器のそれぞれには、火災警報を出力するために、音声信号を記憶する記憶手段と、記憶手段から音声信号を読み出して再生出力する手段とを備えており、このような記憶手段と再生出力手段とは音声ＩＣで構成されており、コスト高となっており、特に、多くの火災警報器を組み合わせてシステムを構成する場合には、特にコストが問題となる。
【０００５】
本発明は、このような事情を考慮して提案されるものであり、システム内の全ての親器、子器の警報連動の精度を低下させずに、住宅用火災警報親機のみに音声ＩＣを備える一方、住宅用火災警報子器には音声ＩＣを備えないようにしてコストを抑制した住宅用火災警報システムを提供することを目的とする。
【課題を解決するための手段】
【０００６】
上記目的を達成するために、本発明の請求項１の住宅用火災警報親器では、給電線を兼用する信号線を通じて、他の火災警報器と互いに移報し警報連動する機能を有した住宅用火災警報器において、前記火災警報の音声信号を予め記憶した記憶手段と、前記信号線の電圧を監視して、所定の移報レベルであるか否かを判別する電圧監視手段と、火災を検出したとき、あるいは、前記信号線の電圧が前記移報レベルであるときに、前記音声信号を読み出して再生出力し、更に前記信号線に出力する音声制御手段とを備えている。
【０００７】
ここに、信号線の電圧を移報レベルに変化させるのみではなく、信号線に対してパルス信号を移報信号として出力するようにするようにしてもよい。
【０００８】
請求項２の住宅用火災警報子器では、給電線を兼用する信号線を通じて、他の火災警報器と互いに移報し警報連動する機能を有した住宅用火災警報器において、火災を検出したときに、前記信号線の電圧を所定の移報レベルまで変化させる電圧制御手段と、前記信号線から音声信号を受け入れて再生する音声制御手段とを備えている。
【０００９】
請求項３の住宅用火災警報システムでは、請求項１に記載の住宅用火災警報親器と、請求項２に記載の住宅用火災警報子器とを、給電線を兼用する信号線を通じて接続して構成されている。
【発明の効果】
【００１０】
本発明の請求項１によれば、住宅用火災警報親器に、火災を検出したとき、あるいは、信号線の電圧が移報レベルであるときに、音声信号を読み出して再生出力し、更に信号線に出力する音声制御手段を備えているので、火災を検出したとき、住宅用火災警報子器により信号線の電圧が移報レベルに変化されたときの双方において、自ら音声信号を火災警報として出力させるとともに、住宅用火災警報子器からも音声信号を火災警報として出力させることができ、警報連動の機能を保ったままシステム全体としてのコストを抑制することができる。
【００１１】
請求項２によれば、住宅用火災警報子器は、火災を検出したときには、信号線の電圧を所定の移報レベルまで変化させ、これを検出した住宅用火災警報親器から受け付けた音声信号を再生する。また、信号線の電圧が移報レベルに変化させられて音声信号が重畳されてきたときには、重畳された音声信号を再生する。
【００１２】
これにより、住宅用火災警報親器、住宅用火災警報子器のそれぞれが火災を検出したときには、住宅用火災警報親器によって読み出された音声信号が火災警報として出力されるので、警報連動の機能を保ったまま、システム全体としてのコストを抑制することができる。
【００１３】
請求項３によれば、請求項１に記載の住宅用火災警報親器と、請求項２に記載の住宅用火災警報子器とを信号線を通じて構成しているので、請求項１，２の効果を発揮する住宅用火災警報システムを提供することができる。
【発明を実施するための最良の形態】
【００１４】
以下に、本発明の実施の形態について説明する。
【００１５】
図１は、本発明の住宅用火災警報親器と住宅用火災警報子器とで構成された住宅用火災警報システムの要部構成の一例を示すブロック図である。
【００１６】
住宅用火災警報親器１と住宅用火災警報子器２とは、給電線を兼用した信号線（例えば２線式信号線）Ｌを通じて接続されて使用される。ここで、住宅用火災警報子器２は、住宅の大きさを考慮して、複数接続される。
【００１７】
住宅用火災警報親器１は、マイコンなどで構成され、以下の各部を制御する制御回路１０、各種操作ボタンＢを有する操作回路１１、煙、熱などの火災要因を検出する火災検出回路１２、予め設定された音声信号を記憶し、制御回路１０による読み出し指示があったときには、記憶しておいた音声信号を読み出してスピーカ１６より再生出力させるための音声ＩＣ１３、２線式信号線Ｌを通じた信号を送受するための信号回路１４、音声ＩＣに記憶された音声信号をスピーカ１６から再生出力させるための音響回路１５、信号回路１４を通じて出力される音声ＩＣ１３からの音声信号のうち、交流成分のみを通過させるためのカップリングコンデンサ１７、２線式信号線Ｌの電圧を監視する電圧監視回路１８、ＡＣ１００Ｖ商用電源を所定の作動電圧に変換し、その作動電圧を住宅用火災警報親器１の各回路に給電するとともに、２線式信号線Ｌに出力する電源回路１９を備えている。
【００１８】
この住宅用火災警報親器１において、本発明の記憶手段は音声ＩＣ１３で構成されており、電圧監視手段は電圧監視回路１８で構成されており、音声制御手段は制御回路１０、火災検出回路１２、音声ＩＣ１３、信号回路１４、音響回路１５、カップリングコンデンサ１７で構成されている。
【００１９】
音声ＩＣ１３は、予め音声警報メッセージを音声信号として記憶しており、制御回路１０による制御があったときには、音声信号を読み出して音響回路１５に出力する。制御回路１０は音声信号が出力されると信号回路１４を通じて音声信号を２線式信号線Ｌに出力する。音響回路１５は、音声信号が出力されるとスピーカ１６より再生出力する。
【００２０】
カップリングコンデンサ１７は、信号回路１４を通じて音声信号を受け付けると、直流成分をカットして、交流成分を２線式信号線Ｌに重畳させる。
【００２１】
一方の住宅用火災警報子器２は、マイコンなどで構成され、以下の各部を制御する制御回路２０、操作ボタンＢを有する操作回路２１、煙、熱などの火災要因を検出する火災検出回路２２、２線式信号線Ｌを通じた信号送受を行うための信号回路２３、２線式信号線Ｌを通じて受け付けた音声信号を再生するためのスピーカ２４、２線式信号線Ｌの電圧を監視する電圧監視回路２５を備えている。
【００２２】
この住宅用火災警報子器２では、電圧制御手段は制御回路２０、火災検出回路２２、電圧監視回路２５で構成しており、音声制御手段は、火災検出回路２２、信号回路２３で構成している。
【００２３】
信号回路２３は、住宅用火災警報親器１が２線式信号線Ｌに音声信号を出力したときには、２線式信号線Ｌでは、給電された電源に音声信号が重畳されているので、音声信号のみを抽出してスピーカ２４に出力する。
【００２４】
図２は、住宅用火災警報親器１の基本動作について説明するためのフローチャートである（１００〜１０７）。
【００２５】
住宅用火災警報親器１は、火災検出回路１２が火災要因を検出すると、制御回路１０は、音声ＩＣ１３から音声信号を読み出し、ついで、音響回路１５によって音声信号をスピーカ１６から再生出力させる。また、これとともに、制御回路１０は、２線式信号線Ｌの電圧を移報レベルに変化させ、音声ＩＣ１３から読み出した音声信号の直流成分をカップリングコンデンサ１７によりカットさせ、移報レベルに変化させた２線式信号線Ｌに対して音声信号を重畳させる。
【００２６】
一方、火災検出回路１２が火災要因を検出していないときに、電圧監視回路１８によって監視される２線式信号線Ｌの電圧が移報レベルであることを検出すると、制御回路１０は、音声ＩＣから音声信号を読み出して音響回路１５により再生出力するとともに、２線式信号線Ｌに、直流成分をカットして音声信号を重畳させる。
【００２７】
このような処理を行うので、住宅用火災警報親器１は、自身が火災要因を検出したときには、自身から音声信号を再生出力させるとともに、２線式信号線Ｌに接続された住宅用火災警報子器２に移報レベルであることを報知するとともに、２線式信号線Ｌを通じて音声信号を提供して再生させることができる。
【００２８】
また、自身が火災要因を検出しておらず住宅用火災警報子器２が火災要因を検出したときには、火災要因を検出した住宅用火災警報子器２が２線式信号線Ｌの電圧を移報レベルに変化させるので、住宅用火災警報親器１はこれを検出して自身より音声信号を再生出力し、これにより住宅用火災警報子器２に音声信号を提供して再生させることができる。
【００２９】
図３は、住宅用火災警報子器２の基本動作について説明するためのフローチャートである（２００〜２０７）。
【００３０】
住宅用火災警報子器２は、火災検出回路２２が火災要因を検出しているときには、制御回路２０は、２線式信号線Ｌの電圧を移報レベルに変化させる。すると、住宅用火災警報親器１がこれを検知して、音声信号の出力を行うので、これを受けた住宅用火災警報子器２は、信号回路２３により音声信号を抽出し、スピーカ２４より再生させる。
【００３１】
また、自身が火災要因を検出していないときに、２線式信号線Ｌの電圧が移報レベルとなり、住宅用火災警報親器１から音声信号が出力されてくるので、これを受けて、信号回路２３により音声信号を抽出し、スピーカ２４より再生させる。
【００３２】
このような処理を行うので、住宅用火災警報子器２は、自身が火災要因を検出したときには、２線式信号線Ｌを移報レベルに変化させて住宅用火災警報親器１より音声信号を提供させ、これを再生することができる。
【００３３】
また、自身が火災要因を検出しておらず、住宅用火災警報親器１が火災要因を検出したときには、住宅用火災警報親器１によって、２線式信号線Ｌが移報レベルに変化させられるとともに、音声信号が出力されてくるので、これらを検出して、住宅用火災警報親器１から提供された音声信号を再生することができる。
【００３４】
更に、他の住宅用火災警報子器２が火災要因を検出したときには、２線式信号線Ｌが移報レベルに変化させられ、住宅用火災警報親器１がこれを検出して音声信号を出力するので、これを検出して、住宅用火災警報親器１から提供された音声信号を再生することができる。
【００３５】
なお、２線式信号線Ｌの電圧レベルが移報レベルであることを検出してから、音声信号が所定時間たっても受信できないときにはエラー報知（エラーランプ点灯など）をする。そのとき、エラー報知したことを記憶する。
【図面の簡単な説明】
【００３６】
【図１】本発明の住宅用火災警報親器と住宅用火災警報子器の要部構成の一例を示すブロック図
【図２】本発明の住宅用火災警報親器の基本動作の一例を示すフローチャート
【図３】本発明の住宅用火災警報子器の基本動作の一例を示すフローチャート
【符号の説明】
【００３７】
１  住宅用火災警報親器
２  住宅用火災警報子器
１０，２０  制御回路
１２，２２  火災検出回路
１３  音声ＩＣ
１４，２３  信号回路
１５  音響回路
１７  カップリングコンデンサ
１８，２５  電圧監視回路
Ｌ  ２線式信号線
【図１】
2008134974.tif 000003
【図２】
2008134974.tif 000004
【図３】
2008134974.tif 000005